(57)【要約】【課題】安全運転支援のための車両制御を効率的に実行可能な車両制御装置を提供する。【解決手段】車両１に搭載されるＥＣＵ１０は、車両１の前方にある先行車両３を検知し、先行車両３の周囲の少なくとも一部に、車両１の進行方向における先行車両３に対する車両１の相対速度の許容上限値Ｖlimの分布を規定する速度分布領域４０，５０を設定し、速度分布領域４０，５０内において先行車両３に対する車両１の相対速度が許容上限値Ｖlimを超えることを抑制する走行制御を実行するように構成されており、速度分布領域５０は、先行車両３が位置する道路５が湾曲している場合には、速度分布領域の側方領域において、同じ許容上限値Ｖlimを有する点を結んだ等相対速度線ｄ，ｅ，ｆが湾曲道路５の曲率に対応して湾曲するように設定される。【選択図】図５
2018090123.tif 000002
【特許請求の範囲】
【請求項１】
車両に搭載される車両制御装置であって、
前記車両の前方にある対象物を検知し、
前記対象物の周囲の少なくとも一部に、前記車両の進行方向における前記対象物に対する前記車両の相対速度の許容上限値の分布を規定する速度分布領域を設定し、
前記速度分布領域内において前記対象物に対する前記車両の相対速度が前記許容上限値を超えることを抑制する走行制御を実行するように構成されており、
前記速度分布領域は、前記対象物が位置する道路が湾曲している場合には、前記速度分布領域の側方領域の少なくとも一方において、同じ前記許容上限値を有する点を結んだ等相対速度線が前記道路の曲率に対応して湾曲するように設定される、
ことを特徴とする車両制御装置。
【請求項２】
前記車両が、前記対象物の前後方向に対して横方向にオフセットした位置にあるとき、前記速度分布領域は、前記車両に近い側の前記側方領域のみにおいて、前記等相対速度線が前記道路の曲率に対応して湾曲するように設定される、
請求項１に記載の車両制御装置。
【請求項３】
前記速度分布領域は、前記対象物から所定距離だけ離れた位置において前記許容上限値がゼロとなる許容上限値ゼロ領域を有するとともに、前記相対速度ゼロ領域よりも前記対象物に近い位置において前記車両の進入が禁止される進入禁止領域を有する、
請求項１または請求項２に記載の車両制御装置。
【発明の詳細な説明】
【技術分野】
【０００１】
本発明は、車両制御装置に係り、特に、車両の走行を支援する車両制御装置に関する。
【背景技術】
【０００２】
従来、レーンキープアシストシステムやオートクルーズシステムを含む複数の安全運転支援システムが車両に搭載されている。これらのシステムでは、それぞれ自動ブレーキ制御や操舵アシスト制御等が用いられる。したがって、それぞれのシステムからそれぞれ自動ブレーキ制御を行うためのブレーキ要求信号、及び、操舵アシスト制御を行うための操舵要求信号が出される場合がある。例えば、異なるシステムからそれぞれ異なるタイミングでブレーキ要求信号が出される場合がある。このような場合、複数の要求信号から１つの要求信号が優先されることになる（例えば、特許文献１参照）。
【先行技術文献】
【特許文献】
【０００３】
【特許文献１】特開２０１１−５１５４７号公報
【発明の概要】
【発明が解決しようとする課題】
【０００４】
しかしながら、将来的にさらに安全運転支援システムが複雑化すると、単に１つの要求信号を優先させるだけでは、安全運転支援システムが全体として効率的に機能しなくなるおそれがある。
【０００５】
本発明は、このような問題を解決するためになされたものであり、安全運転支援のための車両制御を効率的に実行可能な車両制御装置を提供することを目的とする。
【課題を解決するための手段】
【０００６】
上記の目的を達成するために、本発明は、車両に搭載される車両制御装置であって、車両の前方にある対象物を検知し、対象物の周囲の少なくとも一部に、車両の進行方向における対象物に対する車両の相対速度の許容上限値の分布を規定する速度分布領域を設定し、速度分布領域内において対象物に対する車両の相対速度が許容上限値を超えることを抑制する走行制御を実行するように構成されており、速度分布領域は、対象物が位置する道路が湾曲している場合には、速度分布領域の側方領域の少なくとも一方において、同じ許容上限値を有する点を結んだ等相対速度線が道路の曲率に対応して湾曲するように設定される、ことを特徴とする。
【０００７】
このように構成された本発明によれば、対象物の周囲の少なくとも一部に速度分布領域が設定される。この速度分布領域には、車両の対象物に対する相対速度の許容上限値が設定される。そして、車両制御装置は、車両の対象物に対する相対速度が、この速度分布領域に設定された許容上限値を超えないように制御する。このように、本発明では、対象物と車両の間の相対速度に対する許容上限値が制限されるように構成されており、自動ブレーキ制御や操舵アシスト制御等の安全運転支援システムを統合して制御できるので、簡易且つ効率的な速度制御により安全運転支援を提供することが可能になる。
【０００８】
また、本発明では、対象物が位置する道路が湾曲している場合には、速度分布領域は、速度分布領域の側方領域の少なくとも一方において、同じ許容上限値を有する点を結んだ等相対速度線が道路の曲率に対応して湾曲するように設定される。ここで、道路が湾曲している場合、直線道路の場合と同様に速度分布領域が設定されると、速度分布領域の一部が道路の車線境界線を超えて設定される可能性がある。その場合、例えば車両が隣の車線を走行しているにも関わらず、車両の走行車線にはみ出して設定された許容上限値によって車両の走行速度が制限されたり進路変更が行われる可能性があり、これは乗員にとっては不要な減速や操舵回避となる。そこで、本発明では、対象物が位置する道路が湾曲している場合には、速度分布領域は、速度分布領域の側方領域の少なくとも一方において、同じ許容上限値を有する点を結んだ等相対速度線が道路の曲率に対応して湾曲するように設定されることにより、道路の形状に応じた速度分布領域が設定され、車両が不要な減速や操舵を行うことが回避される。これにより、乗員が安心・安全を感じることができる運転支援を提供することが可能になる。
【０００９】
本発明において、好ましくは、車両が、対象物の前後方向に対して横方向にオフセットした位置にあるとき、速度分布領域は、車両に近い側の側方領域のみにおいて、等相対速度線が道路の曲率に対応して湾曲するように設定される。
このように構成された本発明によれば、車両が対象物の前後方向に対して横方向にオフセットしている場合、車両に近い側の側方領域のみにおいては等相対速度線が湾曲するように設定される。ここで、車両が対象物の前後方向に対して横方向にオフセットしている場合、車両に近い側の対象物の側方領域において車両が対象物に近づく可能性は、車両から遠い側の対象物の側方領域において車両が対象物に近づく可能性よりも高い。そこで、本発明では、速度分布領域の側方領域のうち車両に近い側の側方領域のみにおいて、等相対速度線が道路の曲率に対応して湾曲するように速度分布領域が設定されることにより、必要とされる領域のみに道路の形状に応じた速度分布領域の設定が行われるため、簡単な計算処理で安心・安全な運転支援が実現される。
【００１０】
本発明において、好ましくは、速度分布領域は、対象物から所定距離だけ離れた位置において許容上限値がゼロとなる許容上限値ゼロ領域を有するとともに、相対速度ゼロ領域よりも対象物に近い位置において車両の進入が禁止される進入禁止領域を有する。
このように構成された本発明によれば、速度分布領域は、許容上限値がゼロとなる許容上限値ゼロ領域と、車両の進入が禁止される車両進入禁止領域とを有する。したがって、例えば車両が対象物に接近して許容上限値ゼロ領域に入ると、相対速度の許容上限値がゼロに制御されるため、車両はそれ以上対象物に接近しない。これにより車両制御装置は、安全な車両運転支援を行うことができる。
また、万が一予期せぬ対象物の動き等によって車両が許容上限値ゼロ領域内で更に対象物に接近した場合でも、対象物に対して進入禁止領域が設定されているので、車両はその進入禁止領域に進入しないように制動／操舵制御される。したがって、衝突回避のために制動／操舵制御された場合でも、車両と対象物との間に所定の距離が確保されるため、乗員が不安を感じることがなく安心・安全な運転支援が可能になる。
【発明の効果】
【００１１】
本発明によれば、安全運転支援のための車両制御を効率的に実行可能な車両制御装置を提供することができる。
【図面の簡単な説明】
【００１２】
【図１】本発明の第一実施形態による車両制御システムの構成図である。
【図２】本発明の第一実施形態による対象車に対する相対速度の許容上限値とクリアランスとの関係を示す図である。
【図３】本発明の第一実施形態による車両制御システムにおいて道路が直線の場合に対象車に対して設定される速度分布領域の図である。
【図４】本発明の第一実施形態による速度分布領域の進入禁止領域を示す図である。
【図５】本発明の第一実施形態による車両制御システムにおいて道路が湾曲している場合に設定される速度分布領域の図である。
【図６】本発明の第一実施形態による車両制御システムの処理フローである。
【図７】本発明の第二実施形態による車両制御システムにおいて道路が直線の場合に対象車に対して設定される速度分布領域の図である。
【図８】本発明の第二実施形態による車両制御システムにおいて道路が湾曲している場合に対象車に対して設定される速度分布領域の図である。
【図９】本発明の第三実施形態による車両制御システムにおいて停止車両に対して設定される速度分布領域の図である。
【発明を実施するための形態】
【００１３】
以下、本発明の好ましい実施形態を添付図面を参照して説明する。なお、第二実施形態以降では、第一実施形態と同様の構成には、図面に第一実施形態と同一符号を付し、その説明を簡略化または省略する。
【００１４】
［第一実施形態］
以下、添付図面を参照して、本発明の実施形態による車両制御システムについて説明する。先ず、図１を参照して、車両制御システムの構成について説明する。図１は、車両制御システムの構成図である。
【００１５】
図１に示すように、車両制御システム１００は、車両１（図３参照）に搭載されており、車両制御装置（ＥＣＵ）１０と、複数のセンサと、複数の制御システムとを備えている。複数のセンサには、車載カメラ２１，ミリ波レーダ２２，車速センサ２３，測位システム２４，ナビゲーションシステム２５が含まれる。また、複数の制御システムには、エンジン制御システム３１，ブレーキ制御システム３２，ステアリング制御システム３３が含まれる。
【００１６】
ＥＣＵ１０は、ＣＰＵ，各種プログラムを記憶するメモリ，入出力装置等を備えたコンピュータにより構成される。ＥＣＵ１０は、複数のセンサから受け取った信号に基づき、エンジン制御システム３１，ブレーキ制御システム３２，ステアリング制御システム３３に対して、それぞれエンジンシステム，ブレーキシステム，ステアリングシステムを適宜に作動させるための要求信号を出力可能に構成されている。このため、ＥＣＵ１０は、機能的に、データ取得部と、対象物検知部と、位置及び相対速度算出部と、道路曲率算出部と、速度分布領域設定部と、経路算出部と、回避制御実行部とを備えている。
【００１７】
車載カメラ２１は、車両１の周囲を撮像し、撮像した画像データを出力する。ＥＣＵ１０は、画像データに基づいて対象物（例えば、先行車両）を特定する。なお、ＥＣＵ１０は、画像データから対象物の進行方向又は前後方向を特定することができる。
また、ＥＣＵ１０は、車載カメラ２１からの画像データに基づいて車両が走行する道路及び／又は対象物が位置する道路を区画する白線、中央分離帯等の、道路の延びる方向を示す情報を取得する。そして、ＥＣＵ１０は、取得した情報から、道路の曲率を計算する。本実施形態では、ＥＣＵ１０は、道路の白線を検出し、白線の位置をＸＹ座標として把握し、このＸＹ座標の変化量から道路の曲率を計算する。なお、道路の曲率は、画像データから取得するものに限らず、例えばナビゲーションシステム２５に記録された道路情報に基づいて算出してもよい。
【００１８】
ミリ波レーダ２２は、対象物の位置及び速度を測定する測定装置であり、車両１の前方へ向けて電波（送信波）を送信し、対象物により送信波が反射されて生じた反射波を受信する。そして、ミリ波レーダ２２は、送信波と受信波に基づいて、車両１と対象物との間の距離（例えば、車間距離）や車両１に対する対象物の相対速度を測定する。なお、本実施形態において、ミリ波レーダ２２に代えて、レーザレーダや超音波センサ等を用いて対象物との距離や相対速度を測定するように構成してもよい。また、複数のセンサを用いて、位置及び速度測定装置を構成してもよい。
【００１９】
車速センサ２３は、車両１の絶対速度を算出する。
測位システム２４は、ＧＰＳシステム及び／又はジャイロシステムであり、車両１の位置（現在車両位置情報）を算出する。
ナビゲーションシステム２５は、内部に地図情報を格納しており、ＥＣＵ１０へ地図情報を提供することができる。ＥＣＵ１０は、地図情報及び現在車両位置情報に基づいて、車両１の周囲（特に、進行方向前方）に存在する道路、交通信号、建造物等を特定する。また、ＥＣＵ１０は、車載カメラ２１による画像データからは特定しにくい崖，溝，穴等を、地図情報に基づいて特定してもよい。地図情報は、ＥＣＵ１０内に格納されていてもよい。
【００２０】
エンジン制御システム３１は、車両１のエンジンを制御するコントローラである。ＥＣＵ１０は、車両１を加速又は減速させる必要がある場合に、エンジン制御システム３１に対して、エンジン出力の変更を要求するエンジン出力変更要求信号を出力する。
【００２１】
ブレーキ制御システム３２は、車両１のブレーキ装置を制御するためのコントローラである。ＥＣＵ１０は、車両１を減速させる必要がある場合に、ブレーキ制御システム３２に対して、車両１への制動力の発生を要求するブレーキ要求信号を出力する。
【００２２】
ステアリング制御システム３３は、車両１のステアリング装置を制御するコントローラである。ＥＣＵ１０は、車両１の進行方向を変更する必要がある場合に、ステアリング制御システム３３に対して、操舵方向の変更を要求する操舵方向変更要求信号を出力する。
【００２３】
次に、本実施形態の車両制御システム１００の速度制御について説明する。
一般に、道路上又は道路付近の対象物（例えば、先行車両、駐車車両、ガードレール等）に追いつくときや、これとすれ違うとき（又は追い抜く・追い越すとき）、走行車両の運転者は、進行方向に対して、車両と対象物との間に所定の距離又は間隔を保ち、且つ、減速する。具体的には、先行車両が急に進路変更したり、道路の死角から歩行車が出てきたり、駐車車両のドアが開いたりするといった危険を回避するため、対象物との距離が小さいほど、対象物に対する相対速度は小さくされる。
【００２４】
また、一般に、後方から先行車両等の対象物に近づいているとき、走行車の運転者は、進行方向に沿った車間距離（縦方向距離）に応じて速度（相対速度）を調整する。具体的には、車間距離が大きいときは、接近速度（相対速度）が大きく維持されるが、車間距離が小さくなると、接近速度は低速にされる。そして、所定の車間距離で走行車両と対象物との間の相対速度はゼロとなる。これは、対象物が先行車両である場合に限らず、駐車車両、ガードレール等であっても同様である。
【００２５】
このように、運転者は、対象物と車両との間の距離（横方向距離及び縦方向距離を含む）と相対速度との関係を考慮しながら、対象物に対して安全に運転できると感じる距離及び相対速度を確保して危険を回避するように車両を運転している。
【００２６】
図２は、本実施形態の車両制御システム１００の対象物に対する相対速度の許容上限値と対象物に対する距離（クリアランス）との関係を示す説明図である。図２に示すように、車両１がある絶対速度で走行するときにおいて、対象物に対して設定される許容上限値Ｖlimは、対象物との距離ＸがＤ0（安全距離）までは０（ゼロ）ｋｍ／ｈであり、Ｄ0以上で２次関数的に増加する（Ｖlim＝ｋ（Ｘ−Ｄ0）2。ただし、Ｘ≧Ｄ0）。即ち、安全確保のため、距離ＸがＤ0以下では車両１は相対速度がゼロとなる。一方、距離ＸがＤ0以上では、距離が大きくなるほど、車両１は大きな相対速度で走行することが可能となる。
【００２７】
図２の例では、対象物に対する許容上限値は、Ｖlim＝ｆ（Ｘ）＝ｋ0（Ｘ−Ｄ0）2で定義されている。なお、ｋ0は、Ｘに対するＶlimの変化度合いに関連するゲイン係数であり、対象物の種類等に依存して設定される。
【００２８】
なお、本実施形態では、Ｖlimが安全距離を含み、且つ、Ｘの２次関数となるように定義されているが、これに限らず、他の関数（例えば、一次関数等）で定義されてもよい。また、対象物の許容上限値Ｖlimは、対象物の横方向または縦方向（前方または後方）に設定されてもよく、対象物を中心とするすべての径方向について設定することができる。その際、係数ｋ、安全距離Ｄ0は、対象物からの方向に応じて設定することができる。
【００２９】
上記のような許容上限値Ｖlimを考慮して、本実施形態では、車両１は、車両１から検知される対象物（先行車両、駐車車両、歩行者、ガードレール等）に対して、対象物の周囲に（横方向領域、後方領域、及び前方領域にわたって）、車両１の進行方向における相対速度についての許容上限値を規定する２次元分布（速度分布領域４０，５０）を設定するように構成されている。
【００３０】
図３は、本発明の第一実施形態による車両制御システム１００の通常走行時において直線道路２上の先行車両に対して設定された速度分布領域の説明図である。図３に示すように、速度分布領域４０では、先行車両３の周囲の各点において、相対速度の許容上限値Ｖlimが設定されている。つまり、速度分布領域４０は、先行車両３の周囲（前方向から横方向及び後ろ方向にわたる全周囲）にわたって相対速度の許容上限値Ｖlimが設定されている。車両１は、運転支援システムの作動時において、この速度分布領域４０内の許容上限値Ｖlimによって、先行車両３に対する相対速度が制限される。
【００３１】
速度分布領域４０は、先行車両３からの横方向距離及び縦方向距離が小さくなるほど（先行車両３に近づくほど）、相対速度の許容上限値が小さくなるように設定される。また、図３では、理解の容易のため、同じ許容上限値を有する点を結んだ等相対速度線が示されている。本実施形態では、等相対速度線ａ，ｂ，ｃは、それぞれ許容上限値Ｖlimが０ｋｍ／ｈ，２０ｋｍ／ｈ，４０ｋｍ／ｈに相当する。
等相対速度線ａ，ｂ，ｃは、それぞれ、隅丸の略矩形に形成されており、先行車両３の進行方向又は前後方向に対して左右対称に配置されている。等相対速度線ａ，ｂ，ｃの前辺及び後辺は先行車両３の横方向に平行に、側辺は、先行車両３の前後方向に平行に配置されている。また、図３の例では、先行車両３は直線道路２上に位置するため、等相対速度線ａ，ｂ，ｃの前辺及び後辺は、直線道路２の延びる方向に直交する方向に、側辺は、直線道路２の延びる方向に、つまり白線や中央分離帯の延びる方向に平行に配置されている。
【００３２】
なお、図３では、許容上限値が４０ｋｍ／ｈまでの速度分布領域４０が示されているが、対向車線を走行する対向車とのすれ違い等を考慮して、更に大きな相対速度まで速度分布領域４０を設定することができる。
【００３３】
このような速度分布領域４０において、許容上限値Ｖlimが０ｋｍ／ｈの等相対速度線ａの内側で先行車両３の周囲には、車両１が進入することができない、すなわち、それ以上車両１が先行車両３に近づくことができない進入禁止領域４２が設定されている。
また、進入禁止領域４２の外側で且つ相対速度の許容上限値Ｖlimが０ｋｍ／ｈの等相対速度線ａの内側の領域は、車両１と先行車両３との相対速度の許容上限値Ｖlimが０ｋｍ／ｈに制限される相対速度ゼロ領域４４として設定されている。
【００３４】
ここで、上記の進入禁止領域４２及び相対速度ゼロ領域４２について詳しく説明する。
図４は、速度分布領域４０の進入禁止領域４２を示す図である。この図４に示すように、進入禁止領域４２は、先行車両３の周囲（全周）に設定された矩形の領域である。車両３は、いかなる状況においても進入禁止領域４２内に入らないように制御される。つまり、車両制御システム１００は、走行支援や衝突回避等の制御を行う際に、進入禁止領域４２よりも外側に目標走行経路を設定する、あるいは進入禁止領域４２よりも外側で減速することによって、進入禁止領域４２の内側に車両１が進入しないように車両１の制動制御及び／または操舵制御を行うように構成されている。
【００３５】
進入禁止領域４２は、先行車両３の前方に設定された、進入禁止領域４２の前方端である前方境界線４２Ａと、先行車両３の後方に設定された、進入禁止領域４２の後方端である後方境界線４２Ｂと、先行車両３の左右に設定された、進入禁止領域４２の側方端である側方境界線４２Ｃとで囲まれた領域である。
【００３６】
進入禁止領域４２の前方境界線４２Ａは、先行車両３の前方端から所定の前方距離Ｄａだけ離れた位置に設定されている。所定の前方距離Ｄａは、以下の式で求められる。
〔数１〕
Ｄａ＝Ｌｃ／２＋ｋ1Ｖｐ＋ｋ2  …（１）
【００３７】
ここで、Ｌｃは車両１の縦の長さ（ｍ）、Ｖｐは先行車両３の走行速度（ｍ／ｓ）である。また、ｋ1、ｋ2は定数であり、本実施形態ではｋ1＝０．５、ｋ2＝５に設定されている。
なお、本実施形態では、車両制御システム１００は、車両１の位置を、車両１の中心Ｃの点として認識している。したがって、本実施形態では、上記数式１において、Ｌｃ／２の項を加算して車両１の中心Ｃから車両１の後方までの長さを加えることにより、先行車両３の前方端から車両１の中心Ｃまでの距離として所定の前方距離Ｄａを算出している。このため、例えば進入禁止領域４２の前方境界線４２Ａの所定の前方距離Ｄａを、先行車両３の前方端から車両１の後方端までの距離として設定する場合には、Ｄａは、Ｄａ＝ｋ1Ｖｐ＋ｋ2で表される。
【００３８】
なお、図４においては、先行車両３の前方端及び後方端から車両１の縦方向の長さＬｃの半分（Ｌｃ／２）の距離の位置、及び先行車両の３の側方端から車両の横方向の長さＷｃの半分（Ｗｃ／２）の距離の位置を一点鎖線の矩形で接触領域Ｔとして示している。
【００３９】
進入禁止領域４２の後方境界線４２Ｂは、先行車両３の後方端から所定の後方距離Ｄｂだけ離れた位置に設定されている。所定の後方距離Ｄｂは、以下の式で求められる。
〔数２〕
Ｄｂ＝Ｌｃ／２＋ｋ3  …（２）
【００４０】
ここで、ｋ3は定数であり、本実施形態ではｋ3＝２に設定されている。
本実施形態では、前述のように、車両制御システム１００は、車両１の位置を、車両１の中心Ｃの点として認識しているので、上記数式２においては、所定の後方距離Ｄｂは、先行車両３の後方端から車両１の中心Ｃまでの距離として設定されている。このため、例えば進入禁止領域４２の後方境界線４２Ｂの所定の後方距離Ｄｂを、先行車両３の後方端から車両２の前方端までの距離として設定する場合には、Ｄｂは、Ｄｂ＝２である。
【００４１】
なお、本実施形態では進入禁止領域４２の後方境界線４２Ｂの所定の後方距離Ｄｂは一定の値であるが、これに限らず、車両１の走行速度や先行車両３の走行速度等に応じて可変に設定されていてもよい。
【００４２】
進入禁止領域４２の側方境界線４２Ｃは、先行車両３の側方端から所定の側方距離Ｄｃだけ離れた位置に設定されている。所定の側方距離Ｄｃは、以下の式で求められる。
〔数３〕
Ｄｃ＝Ｗｃ／２＋ｋ4Ｖｐ＋ｋ5  …（３）
【００４３】
ここで、Ｗｃは車両１の横の長さ（ｍ）であり、Ｖｐは先行車両３の走行速度（ｍ／ｓ）である。また、ｋ4、ｋ5は定数であり、本実施形態ではｋ4＝０．１、ｋ5＝０．５に設定されている。
本実施形態では、前述のように、車両制御システム１００は、車両１の位置を、車両１の中心の点Ｃとして認識しているので、上記数式３においては、所定の側方距離Ｄｃは、先行車両３の側方端から車両１の中心Ｃまでの距離として設定されている。このため、例えば進入禁止領域４２の側方境界線４２Ｃの所定の側方距離Ｄｃを、先行車両３の側方端から車両２の側方端までの距離として設定する場合には、Ｄｃは、Ｄｃ＝ｋ4Ｖｐ＋ｋ5で表される。
【００４４】
ここで、所定の前方距離Ｄａ、後方距離Ｄｂ、及び側方距離Ｄｃは、図２で説明した安全距離Ｄ0に対応したものであるが、これらの距離Ｄａ，Ｄｂ，Ｄｃは、単に車両１が先行車両３に衝突しない距離として設定されたものではなく、車両１が先行車両３に近づいたときに、車両１の乗員が恐怖を感じることがなく、安全な運転だと感じることができる距離として設定されている。
【００４５】
また、数式（１）と数式（２）とを比較すると、進入禁止領域４２の前方距離Ｄａは、後方距離Ｄｂよりも常に大きくなるように設定されている。
さらに、数式（１）及び数式（３）に示されるように、前方距離Ｄａ及び側方距離Ｄｃは、先行車両３の速度に応じて変化するように設定されている。より具体的には先行車両３の走行速度Ｖｐが大きいほど、所定距離Ｄｂ、Ｄｃが大きくなるように設定されている。
【００４６】
次に、相対速度ゼロ領域４４について説明する。相対速度ゼロ領域４４は、図３に示すように、進入禁止領域４２の外側に配置され等相対速度線ａで囲まれた、四隅が円弧状の略矩形の領域である。本実施形態では、車両制御システム１００は、車両１が相対速度ゼロ領域４４の内側の領域に進入すると、車両１と先行車両３との相対速度が負になるように、つまり先行車両３の走行速度よりも車両１の走行速度の方が遅くなるように車両１を制動制御するように構成されている。このような制動制御により、車両１は、相対速度ゼロ領域４４内に入ると、相対速度ゼロ領域４４の外側に出るように、つまり先行車両３から離れるように制御されることとなる。
【００４７】
なお、先行車両３の走行速度Ｖｐが変化することによって進入禁止領域４２が変化すると、相対速度ゼロ領域４４及びその周りの速度分布領域４０もそれに従って変化する。つまり、例えば進入禁止領域４２の前方距離Ｄａが大きくなると、相対速度ゼロ領域４４及びその周りの速度分布領域４０の前方距離も大きくなり、進入禁止領域４２の前方境界線４２Ａから等相対速度線ａ，ｂ，ｃの前辺までの距離はそれぞれ大きくなる。
【００４８】
次に、先行車両３が湾曲道路５上に位置する場合に先行車両３の周囲に設定される速度分布領域５０について説明する。
図５は、第一実施形態による車両制御システム１００の通常走行時において道路が湾曲している湾曲道路５上に車両１及び先行車両３が位置する場合に、先行車両３に対して設定される速度分布領域５０の説明図である。この図５に示すように、速度分布領域５０は、直線道路２の場合に設定される速度分布領域４０と同様に、先行車両３からの横方向距離及び縦方向距離が小さくなるほど（先行車両３に近づくほど）、相対速度の許容上限値が小さくなるように設定される。図５では、理解の容易のため、同じ許容上限値を有する点を結んだ等相対速度線が示されている。本実施形態では、等相対速度線ｄ，ｅ，ｆは、それぞれ許容上限値Ｖlimが０ｋｍ／ｈ，２０ｋｍ／ｈ，４０ｋｍ／ｈに相当する。
【００４９】
このような速度分布領域５０において、許容上限値Ｖlimが０ｋｍ／ｈの等相対速度線ｄの内側で先行車両３の周囲には、車両１が進入することができない、すなわち、それ以上車両１が先行車両３に近づくことができない進入禁止領域５２が設定されている。進入禁止領域５２は、先行車両３が直線道路２上に位置する場合に設定される進入禁止領域４２と同様の手法で設定された、略矩形の領域である。
【００５０】
また、進入禁止領域５２の外側で且つ相対速度の許容上限値Ｖlimが０ｋｍ／ｈの等相対速度線ｄの内側の領域は、車両１と先行車両３との相対速度の許容上限値Ｖlimが０ｋｍ／ｈに制限される相対速度ゼロ領域５４として設定されている。したがって、相対速度ゼロ領域５４は、前縁及び後縁が先行車両３の横方向に平行に、両側縁が湾曲道路５の曲率に対応した曲率で、より具体的には湾曲道路５の曲率に等しい曲率で湾曲した形状の領域となっている。
【００５１】
ここで、等相対速度線ｄ，ｅ，ｆの前辺及び後辺は、それぞれ、直線道路２の場合に設定される等相対速度線ａ，ｂ，ｃの前辺及び後辺と同様に、先行車両３の横方向に平行に配置されている。また、等相対速度線ｄ，ｅ，ｆの前辺及び後辺の長さ寸法も、等相対速度線ａ，ｂ，ｃの前辺及び後ろ辺の長さ寸法と同様に設定されており、先行車両３に対して左右対称の位置に配置されている。一方、速度分布領域５０の側方領域において、等相対速度線ｄ，ｅ，ｆの側辺は、前辺及び後辺の端部をそれぞれ連結するように、湾曲道路５の曲率に対応した曲率で、より具体的には、湾曲道路５の曲率に等しい曲率で湾曲している。また、等相対速度線ｄ，ｅ，ｆの四隅は、先行車両３が直線道路２上に位置する場合に設定される速度分布領域４０と同様に、円弧状に形成されている。
【００５２】
なお、速度分布領域４０，５０は、上記の算出方法に限らず、種々のパラメータに基づいて設定することが可能である。パラメータとして、例えば、車両１と対象物の相対速度、対象物の種類、車両１の進行方向、対象物の移動方向及び移動速度、対象物の長さ、車両１の絶対速度等を考慮することができる。即ち、これらのパラメータに基づいて、係数ｋや算出式を選択することができる。
【００５３】
また、速度分布領域４０，５０は、様々な対象物に対して設定されることが可能である。対象物としては、例えば車両、歩行者、自転車、走行路区画物、障害物、交通信号、交通標識等を含む。車両は、自動車、トラック、自動二輪で区別可能である。歩行者は、大人、子供、集団で区別可能である。走行路区画物は、ガードレール、走行路の端部の段差を形成する路肩、中央分離帯、車線境界線が含まれる。障害物は、崖、溝、孔、落下物が含まれる。交通標識は、停止線、止まれ標識が含まれる。
【００５４】
次に、図６を参照して、本実施形態の車両制御システムの処理の流れについて説明する。図６は車両制御装置の処理フローである。車両１が走行路上を走行しているとき、図６に示すように、車両１のＥＣＵ１０（データ取得部）は、複数のセンサから種々のデータを取得する（Ｓ１０）。具体的には、ＥＣＵ１０は、車載カメラ２１から車両１の前方を撮像した画像データを受け取り、且つ、ミリ波レーダ２２から測定データを受け取る。
【００５５】
ＥＣＵ１０（対象物検知部）は、少なくとも車載カメラ２１を含む外部センサから取得したデータを処理して対象物を検知する（Ｓ１１）。具体的には、ＥＣＵ１０は、画像データの画像処理を実行して、先行車両３を対象物として検知する。このとき、対象物の種類（この場合は、車両）が特定される。また、ＥＣＵ１０は、地図情報から特定の障害物の存在を検知することができる。
【００５６】
また、ＥＣＵ１０（位置及び相対速度算出部）は、測定データに基づいて、車両１に対する検知された対象物（先行車両３）の位置及び相対速度を算出する。なお、対象物の位置は、車両１の進行方向に沿った縦方向位置（縦方向距離）と、進行方向と直交する横方向に沿った横方向位置（横方向距離）が含まれる。相対速度は、測定データに含まれる相対速度をそのまま用いてもよいし、測定データから進行方向に沿った速度成分を算出してもよい。また、進行方向に直交する速度成分は、必ずしも算出しなくてもよいが、必要であれば、複数の測定データ及び／又は複数の画像データから推定してもよい。
また、ＥＣＵ１０（道路曲率算出部）は、車載カメラ２１の画像データに基づいて道路の白線を特定し、白線の位置から、道路の曲率を計算する。
【００５７】
ＥＣＵ１０（速度分布領域設定部）は、検知した対象物（即ち、先行車両３）について、算出した道路の曲率に応じて速度分布領域４０，５０を設定する（Ｓ１２）。ここで、道路が直線の場合には、道路の曲率は０になるので、図３に示すような等相対速度線ａ，ｂ，ｃの側辺の曲率が０の略矩形状の速度分布領域４０が設定される。また、道路が湾曲している場合には、道路の曲率が０以外の値になるので、図５に示すような等相対速度線ｄ，ｅ，ｆの側辺の曲率が道路の曲率と等しくなるように湾曲した速度分布領域５０が設定される。つまり、いずれの場合にも、速度分布領域の等相対速度線の側辺は、道路の曲率に等しい曲率で配置されることになる。
【００５８】
ＥＣＵ１０（経路算出部）は、設定された速度分布領域４０，５０に基づいて、車両１の走行可能な経路及びこの経路上の各位置における設定車速又は目標速度を算出する（Ｓ１３）。そして、車両１が算出された経路を走行するため、ＥＣＵ１０（走行制御実行部）は、走行制御を実行する（Ｓ１４）。
なお、図６の処理フローは、所定時間（例えば、０．１秒）毎に繰り返し実行されるため、算出される経路及びこの経路上の設定速度は、時間経過と共に変化する。
【００５９】
ここで、車両１及び先行車両３が湾曲道路５を走行している場合に、車両１が先行車両３の後方から先行車両３に近づいていった場合の車両１の速度制御について説明する。
図５の経路Ｒ１に示すように、車両１が先行車両３の後方から先行車両３に近づく場合、車両１は、速度分布領域５０の等相対速度線ｆ，ｅ，ｄを横切るように車両１が走行する。この場合、例えば車両１が４０ｋｍ／ｈで走行しているとすると、等相対速度線ｆまではその走行速度を維持することができるが、等相対速度線ｆを超えると徐々に許容上限値Ｖlimが小さくなっていくため、車両制御システム１００は、ブレーキ制御システム３２にブレーキ要求信号を出力して車両１を減速させて、その地点に設定された許容上限値Ｖlimを超えないように車両１を制御する。
【００６０】
車両１が相対速度ゼロ領域５４の外縁まで到達した場合、車両１は先行車両３との相対速度が０（ゼロ）になるように制御される。このため、車両１は通常の運転状態では、それ以上先行車両３に近づかない。
しかしながら、例えば先行車両３が予期せず減速した場合には、車両１が相対速度ゼロ領域５４内に進入する場合がある。この場合には、車両制御システム１００は、車両１が相対速度ゼロ領域５４の外側に移動するように車両１を制御する。より具体的には、車両制御システム１００は、車両１と先行車両３との相対速度が負に、つまり０ｋｍ／ｈよりも小さくなるようにブレーキ要求信号を出力し、車両１が先行車両３から離れるように制御する。
【００６１】
また、車両制御システム１００は、車両１が相対速度ゼロ領域５４内に進入した場合、車両１が進入禁止領域５２内に進入しないように車両１の速度及び／又は走行経路を制御する。つまり、車両１の速度のみを制御する場合には、車両制御システム１００は、図５の経路Ｒ２に示すように、車両１が進入禁止領域５２の後方境界線５２Ｂよりも外側（後方）を走行し、後方境界線５２Ｂを超えないように、車両１の制動力を決定し、ブレーキ制御システム３２にブレーキ要求信号を出力する。その結果、車両１は進入禁止領域５２の外側の位置で先行車両３に最接近するが、それ以上先行車両３には接近せず進入禁止領域５２内に進入しない。
【００６２】
なお、車両制御システム１００は、車両１が相対速度ゼロ領域５４内に進入した場合、上記のように減速して進入禁止領域５２の後方境界線５２Ｂよりも後方に位置するように車両１を制御するものに限らず、例えば先行車両３との衝突を回避するように速度制御に加えて操舵制御も行ってもよい。その場合には、車両制御システム１００は、例えば図５の経路Ｒ３に示すように、進入禁止領域５２の外側に目標走行経路を設定すればよい。
【００６３】
一方、図５の二点鎖線に示すように、車両１が先行車両３が位置する車線の隣、例えば右側の車線を走行している場合には、先行車両３の周囲に設定された速度分布領域５０が車線からはみ出さないので、車両１は速度分布領域５０の許容上限値Ｖlimに制限されることなく隣の車線を走行することができる（例えば経路Ｒ４）。
【００６４】
以上のような実施形態によれば、次のような効果が得られる。
ＥＣＵ１０が先行車両３の周囲に速度分布領域４０，５０を設定するので、先行車両３と車両１の間の相対速度に対する許容上限値Ｖlimを制限することができ、自動ブレーキ制御や操舵アシスト制御等の安全運転支援システムを統合して制御できるので、簡易且つ効率的な速度制御により安全運転支援を提供することができる。
【００６５】
先行車両３が湾曲道路５上に位置している場合には、ＥＣＵ１０は、先行車両３の側方の領域において、等相対速度線ｄ，ｅ，ｆが湾曲道路５の曲率に対応して湾曲するように速度分布領域５０を設定するので、速度分布領域５０が先行車両３が位置する道路の車線からはみ出すのを防止することができる。
【００６６】
ここで、例えば図３に二点鎖線で示すように、道路が湾曲している場合に、直線道路２の場合と同様に速度分布領域４０が設定されると、速度分布領域４０の一部、特に側方領域の一方が道路の車線境界線を超えて設定されてしまう場合がある。このとき、車両１が先行車両３が位置する車線の右側の車線を走行していると、車両１の走行車線にはみ出して設定された先行車両３の許容上限値Ｖlimによって車両１の走行速度が制限されたり進路変更が行われてしまう。特に図３の例では、速度分布領域４０の側方領域において、等相対速度線ａ，ｂ，ｃの幅が比較的狭いので、車両１は急な減速や進路変更を要求される。このような走行は、先行車両３の隣の車線を走行している車両１の乗員にとっては不要な減速や操舵回避となり、違和感のある走行支援となってしまう。
【００６７】
本実施形態では、先行車両３が位置する道路が湾曲している湾曲道路５である場合には、先行車両３の側方の領域、つまり速度分布領域５０の側方領域において、等相対速度線ｄ，ｅ，ｆを湾曲道路５の曲率に等しい曲率で湾曲するように設定するので、道路の形状に応じた速度分布領域５０を設定することができ、速度分布領域５０が隣の車線にはみ出してしまうのを防止することができる。またこれにより例えば隣の車線を走行する車両１の不要な減速や操舵を回避することができる。したがって、本実施形態の車両制御システム１００により、乗員が安心・安全を感じることができる運転支援を提供することができる。
【００６８】
速度分布領域４０，５０が、許容上限値ゼロ領域４４，５４と、車両進入禁止領域４２，５２とを有するので、車両１は、通常の運転状態では相対速度ゼロ領域４４，５４の境界線の位置で先行車両３との相対速度をゼロに保持する。したがって車両制御システム１００は、車両１が先行車両３と所定の距離を保って走行することができるから、安全な運転支援を行うことができる。
また、先行車両３の予期せぬ減速等によって車両１が相対速度ゼロ領域４４，５４内に進入してより先行車両３に近づいた場合にも、車両制御システム１００は車両１が進入禁止領域４２，５２に進入しないように車両１を加減速／操舵制御するので、衝突回避制御を行う場合でも、車両１と先行車両３との間に所定の距離を確保することができる。したがって乗員が不安を感じるのを防止することができ、安心・安全な運転支援を行うことができる。
【００６９】
［第二実施形態］
次に、本発明の第二実施形態に係る車両制御システムについて説明する。第二実施形態に係る車両制御システムは、第一実施形態に係る車両制御システムに対して、車両１が先行車両３を追い越す場合の速度分布領域の設定が異なる他は、第一実施形態に係る車両制御システムと同様の構成を有する。
【００７０】
図７は、本発明の第二実施形態に係る先行車両３に対して設定される速度分布領域６０の図であり、先行車両３が直線道路を走行している場合の速度分布領域６０の図である。また、図８は、本発明の第二実施形態に係る先行車両３に対して設定される速度分布領域７０の図であり、先行車両３が湾曲道路を走行している場合の速度分布領域７０の図である。このように、第二実施形態に係る速度分布領域６０，７０は、第一実施形態と同様の進入禁止領域４２，５２の他、車両１が先行車両３を追い越す場合に設定される追い越し速度分布領域６２，７２を有する。
【００７１】
まず、図７に示すように、道路が直線道路の場合、速度分布領域６０は、道路の延びる方向に沿って直線状に設定される。速度分布領域６０の追い越し速度分布領域６２は、車両１の前方に、より詳しくは、進入禁止領域４２の前方に設定されており、車両１の進行方向における先行車両３に対する車両１の相対速度の許容下限値Ｖminの分布を規定する。追い越し速度分布領域６２は、進入禁止領域４２の前方境界線４２Ａから前方にわたって、進入禁止領域４２と同じ幅で設定され、先行車両３からの前後方向（縦方向）の距離が小さくなるほど許容下限値Ｖminが大きくなるように設定されている。図７では、理解の容易のため、同じ許容下限値Ｖminを有する点を結んだ等相対速度線ｇ，ｈ，ｉ，ｊ，ｋが示されている。これらの等相対速度線ｇ，ｈ，ｉ，ｊ，ｋは、それぞれ幅方向中央に向かって前方側に傾斜するように延びている。本実施形態では、等相対速度線ｇ，ｈ，ｉ，ｊ，ｋは例えばそれぞれ許容下限値Ｖminが５０ｋｍ／ｈ、４０ｋｍ／ｈ、３０ｋｍ／ｈ、２０ｋｍ／ｈ、１０ｋｍ／ｈに相当する。
【００７２】
また、図８に示すように、道路が湾曲道路の場合、速度分布領域７０は、道路の延びる方向に沿って、湾曲して設定される。速度分布領域７０の追い越し速度分布領域７２は、道路が直線の場合に設定される速度分布領域６０の追い越し速度分布領域６２と同様に、車両１の前方に、より詳しくは、進入禁止領域５２の前方に設定されており、先行車両３からの前後方向（縦方向）の距離が小さくなるほど許容下限値Ｖminが大きくなるように設定されている。図８では、理解の容易のため、同じ許容下限値Ｖminを有する点を結んだ等相対速度線ｌ，ｍ，ｎ，ｏ，ｐが示されている。これらの等相対速度線ｌ，ｍ，ｎ，ｏ，ｐの両側辺は、道路の延びる方向に沿って、より具体的には、道路の湾曲の曲率と等しい曲率で湾曲している。また、等相対速度線ｌ，ｍ，ｎ，ｏ，ｐは、それぞれ幅方向中央に向かって前方側に傾斜するように延びている。本実施形態では、等相対速度線ｌ，ｍ，ｎ，ｏ，ｐは例えばそれぞれ許容下限値Ｖminが５０ｋｍ／ｈ、４０ｋｍ／ｈ、３０ｋｍ／ｈ、２０ｋｍ／ｈ、１０ｋｍ／ｈに相当する。
【００７３】
このように構成された本実施形態に係る車両制御システム１００は、車両１が先行車両３の後方にある場合には、第一実施形態と同様に先行車両３の周囲に速度分布領域４０，５０を設定する。そして、車両１が先行車両３の追い抜き、または追い越しを行う場合、車両制御システム１００は、車両１が速度分布領域４０，５０に基づいて車両１が走行可能な経路及びこの経路上の各位置における設定車速又は目標速度を算出する。そして、車両１が算出された経路を走行するように、ＥＣＵ１０が走行制御を実行する。
【００７４】
車両１が先行車両３の側方を通過して先行車両３よりも前方まで移動すると、車両制御システム１００は、先行車両３に対して設定する速度分布領域を速度分布領域４０，５０から速度分布領域６０，７０に変更する。本実施形態では、車両１は中心Ｃを点として認識されているので、この中央の点が車両１の進行方向における先行車両３の前方端の位置を超えて前方に位置したとき、車両１が先行車両３よりも前方に移動したと判断される。なお、ＥＣＵ１０は、車両１の前端が先行車両１の前端に達したときに、車両１が先行車両３よりも前方に移動したと判断してもよいし、車両１の後端が先行車両１の前端に達したときに、車両１が先行車両３よりも前方に移動したと判断してもよい。
【００７５】
ここで、ＥＣＵ１０が速度分布領域６０，７０を設定する場合、道路が直線の場合には、道路の曲率は０になるので、図７に示すような等相対速度線ｇ，ｈ，ｉ，ｊ，ｋの側辺の曲率が０の速度分布領域６０が設定される。また、道路が湾曲している場合には、道路の曲率が０以外の値になるので、図８に示すような等相対速度線ｌ，ｍ，ｎ，ｏ，ｐの側辺の曲率が道路の曲率と等しくなるように湾曲した速度分布領域７０が設定される。つまり、いずれの場合にも、速度分布領域の等相対速度線の側辺は、道路の曲率に等しい曲率で配置されることになる。
【００７６】
車両１が追い越しを行う場合、車両制御システム１００は、車両１の走行速度が追い越し速度分布領域６２，７２で設定された許容下限値Ｖminを下回らないように、追い越し速度分布領域６２，７２に基づいて車両１が先行車両３の前方に移動する際に走行可能な経路及びこの経路上の各位置における設定車速または目標速度（例えば図７の経路Ｒ５や図８の経路Ｒ６）を算出する。そして車両１が算出された経路を走行するように、ＥＣＵ１０が走行制御を実行する。
【００７７】
このように構成された本実施形態に係る車両制御システム１００によれば、次のような効果が得られる。
車両１が先行車両３を追い越す際に、車両１が先行車両３より前方に移動したときに先行車両３の前方に追い越し速度分布領域６２，７２が設定されるので、車両１が先行車両３の側方から前方まで移動して先行車両３の前方に入る際、車両は追い越し速度分布領域６２，７２で設定される許容下限値に従って相対速度が制御される。したがって、車両１が先行車両３を追い越す場合にも、先行車両３に対して運転者が安全だと感じる走行速度、距離が確保されるから、運転者が安全だと感じる運転支援を行うことができる。
また、道路が湾曲している場合には、追い越し速度分布領域７０を道路の曲率と等しい曲率で湾曲させるので、湾曲した道路に沿って速度分布領域７０を設定することができるから、車両１の走行支援を適切に行うことができる。
【００７８】
［第三実施形態］
次に、本発明の第三実施形態に係る車両制御システムについて説明する。第三実施形態に係る車両制御システムは、第一実施形態に係る車両制御システムに対して、対象物が停止車両６である場合に停止車両６の周囲に設定される速度分布領域の設定が異なる他は、第一実施形態に係る車両制御システムと同様の構成を有する。
【００７９】
図９は、本発明の第三実施形態による車両制御システム１００において停止車両６に対して設定される速度分布領域８０の図である。本実施形態において、停止車両６は、湾曲道路５上の端（左端）に停車している。このため、道路５を走行する車両１は、停止車両６の進行方向（前後方向）に対して横方向にオフセットした位置にある。ＥＣＵ１０は、車両１が停止車両６の前後方向に対して横方向にオフセットしている場合には、停止車両６の側方に設定される速度分布領域８０の側方領域のうち、車両１に近い側の側方領域のみにおいて、等相対速度線が道路の湾曲に沿って湾曲するように、速度分布領域８０を設定する。
ここで、ＥＣＵ１０は、車両１の側端のいずれか一方（図９の例では左端）が停止車両６の側端のいずれか他方（図９の例では右端）の位置、又はそれよりも停止車両６から横方向に離れた位置（図９の例では右側の位置）にある場合に、車両１が停止車両６に対してオフセットしていると判断する。なお、ＥＣＵ１０は、車両１の中心Ｃが停止車両６の側端（図９の例では右端）の位置か、それよりも停止車両６から横方向に離れた位置にある場合に、車両１が停止車両６に対してオフセットしていると判断してもよい。
【００８０】
速度分布領域８０は、第一実施形態の速度分布領域５０と同様に、停止車両６からの横方向距離及び縦方向距離が小さくなるほど（停止車両６に近づくほど）、相対速度の許容上限値が小さくなるように設定される。また、図９では、理解の容易のため、同じ許容上限値を有する点を結んだ等相対速度線が示されている。本実施形態では、等相対速度線ｑ，ｒ，ｓは、それぞれ許容上限値Ｖlimが０ｋｍ／ｈ，２０ｋｍ／ｈ，４０ｋｍ／ｈに相当する。
ここで、等相対速度線ｑ，ｒ，ｓの前辺、後辺及び左辺は、それぞれ、第一実施形態の速度分布領域４０の等相対速度線ａ，ｂ，ｃの前辺、後辺及び左辺と同様に配置されている。一方、等相対速度線ｑ，ｒ，ｓの側辺のうち、車両１がより近くに位置する側の辺、つまり図９の例では等相対速度線ｑ，ｒ，ｓの右辺は、第一実施形態の速度分布領域５０と同様に、前辺及び後辺の端部をそれぞれ連結するように、湾曲道路５の曲率に対応した曲率で、より具体的には、湾曲道路５の曲率に等しい曲率で湾曲している。
【００８１】
また、このような速度分布領域８０において、許容上限値Ｖlimが０ｋｍ／ｈの等相対速度線ｑの内側で先行車両３の周囲には、第一実施形態と同様の進入禁止領域８２が設定されており、進入禁止領域８２の外側で且つ相対速度の許容上限値Ｖlimが０ｋｍ／ｈの等相対速度線ｑの内側の領域は、車両１と停止車両６との相対速度の許容上限値Ｖlimが０ｋｍ／ｈに制限される相対速度ゼロ領域８４として設定されている。
【００８２】
このような第三実施形態に係る車両制御システムでは、車両１が停止車両６の前後方向に対して横方向にオフセットした位置にあるとき、ＥＣＵ１０は、第一実施形態と同様に、停止車両６の周囲に設定された速度分布領域８０に基づいて、車両１の走行可能な経路及びこの経路上の各位置における設定車速又は目標速度（例えば図９の経路Ｒ７）を算出し、車両１が算出された経路を走行するように走行制御を実施する。
【００８３】
このように構成された本実施形態に係る車両制御システムによれば、次のような効果が得られる。
車両１が停止車両６の前後方向に対して横方向にオフセットしている場合、ＥＣＵ１０は、停止車両６の側方領域、つまり速度分布領域８０の側方領域のうち車両１に近い側の領域のみにおいて、等相対速度線ｑ，ｒ，ｓが湾曲し、且つ反対側の、車両１から遠い側の側方の領域においては、等相対速度線ｑ，ｒ，ｓが直線状になるように、速度分布領域８０を設定する。ここで、車両１が停止車両６に対して横方向にオフセットしている場合、つまり、本実施形態では、車両１が停止車両６に対して右方向にオフセットしている場合、車両１が停止車両６の右側に近づく可能性は、停止車両６の左側に近づく可能性よりも高くなる。そこで、本実施形態では、停止車両６の側方の領域のうち車両１に近い右側の領域のみにおいて、等相対速度線ｑ，ｒ，ｓが道路の曲率に対応して湾曲するように速度分布領域８０を設定したので、車両１が実際に近づく可能性が高い領域のみにおいて道路の形状に応じた速度分布領域８０の設定を行うことができるから、速度分布領域８０の設定のための計算処理を簡単にすることができる。したがって、速度分布領域８０の簡単な計算処理で安心・安全な運転支援を実現することができる。
【００８４】
本発明は、以上の実施の形態に限定されることなく、例えば、以下のような態様であってもよい。
速度分布領域は、対象物の全周にわたって設定されるものに限らず、例えば第二実施形態のように先行車両の前方のみに設定されてもよいし、あるいは側方のみ、後方のみ等に設定されてもよい。要するに、速度分布領域は、対象物の周囲の少なくとも一部に設定されていればよい。
【００８５】
前述の第一実施形態では、先行車両３の両側方の領域において速度分布領域の等相対速度線が湾曲するように設定されており、前述の第三実施形態では、停止車両６の一方の領域において速度分布領域の等相対速度線が湾曲するように設定されていたが、要するに、速度分布領域の等相対速度線は、対象物が位置する道路が湾曲している場合には、対象物の側方の少なくとも一方の領域において等相対速度線が湾曲するように設定されればよい。
また、湾曲した等相対速度線は、前述の実施形態のように道路の曲率に等しく円弧状に設定されるものに限らず、道路の曲率に基づいて所定の計算によって導き出される曲線や連続する直線等、道路の曲率に対応して全体として湾曲するように設定されていればよい。
【００８６】
前述の第三実施形態では、側方領域の一方のみにおいて等相対速度線が湾曲するように設定された速度分布領域８０は、停止車両６に対して設定されていたが、これに限らず、例えば走行車両等の他の対象物に対しても、車両が対象物の前後方向に対して横方向にオフセットした位置にある場合には、車両に近い側の速度分布領域の側方領域のみにおいて、等相対速度線が道路の曲率に対応して湾曲するように設定されてもよい。
【符号の説明】
【００８７】
１    車両
２    直線道路
３    先行車両（対象物）
５    湾曲道路
６    停止車両（対象物）
２１    車載カメラ
２２    ミリ波レーダ
２３    車速センサ
２４    測位システム
２５    ナビゲーションシステム
３１    エンジン制御システム
３２    ブレーキ制御システム
３３    ステアリング制御システム
４０，５０，６０，７０，８０  速度分布領域
４２，５２，６２，７２，８２  進入禁止領域
４４，５４，６４，７４，８４  相対速度ゼロ領域
１００  車両制御システム
ａ〜ｓ  等相対速度線
Ｄ0    安全距離
Ｘ    クリアランス
Ｒ１〜Ｒ７    経路
【図１】
2018090123.tif 000003
【図２】
2018090123.tif 000004
【図３】
2018090123.tif 000005
【図４】
2018090123.tif 000006
【図５】
2018090123.tif 000007
【図６】
2018090123.tif 000008
【図７】
2018090123.tif 000009
【図８】
2018090123.tif 000010
【図９】
2018090123.tif 000011